(57)【特許請求の範囲】
【請求項１】
合成樹脂製のハウジングと、
端子金具とを備え、
前記ハウジングは、前後方向に貫通する端子収容室が形成された端子保持部と、前記端子保持部の前端から前方へ延出するフード部とを一体に成形して構成され、
前記端子保持部は、前記端子保持部の外面を構成し、且つ前記端子収容室に臨む外壁部を有し、
前記フード部は、前記外壁部から外方へ張り出した形態の後面壁を有し、
前記端子収容室の後端部の開口部は、前記端子金具を挿入するための端子挿入口となっており、
前記端子収容室の前端側領域は、挿入した前記端子金具を傾かないように保持するための姿勢安定部となっており、
前記外壁部は、周方向において前記端子収容室の天井面を構成する誘導壁部を有し、
前記誘導壁部の内面のうち前記端子挿入口と対応する領域に、前記姿勢安定部の内面よりも凹ませた形態の誘導凹部が形成されており、
前記ハウジングには、前記誘導壁部の外面のうち前記誘導凹部と対応する領域よりも前方の領域を凹ませた形態の型抜き凹部と、前記型抜き凹部に連通し且つ前記後面壁を貫通した形態の型抜き孔とからなる前後方向の型抜き経路が形成され、
前記フード部を構成する周壁部には、その内周面を溝状に凹ませた形態であり、前記型抜き経路と直接的に且つ一直線状に連なる前後方向の排水経路が形成されていることを特徴とするコネクタ。
【発明の詳細な説明】
【技術分野】
【０００１】
本発明は、コネクタに関するものである。
【背景技術】
【０００２】
特許文献１には、金型成形された合成樹脂製のハウジングと、前端部に細長いタブが形成された雄形の端子金具とを備えたコネクタが開示されている。以下、このコネクタの特徴を、図５に基づいて説明する。
【０００３】
ハウジング１００は、前後方向に貫通する端子収容室１０２が形成された端子保持部１０１と、端子保持部１０１の前端から前方へ延出するフード部１０３とを一体に形成して構成されている。端子収容室１０２の後端部の開口は、端子金具１０６を挿入させるための端子挿入口１０７となっており、端子収容室１０２の前端側領域は、挿入した端子金具１０６が傾かないように保持するための姿勢安定部１０８となっている。
【先行技術文献】
【特許文献】
【０００４】
【特許文献１】特開平０７−２２０７９８号公報
【発明の概要】
【発明が解決しようとする課題】
【０００５】
上記コネクタは、端子金具１０６の端子収容室１０２への挿入を円滑に行わせるための手段として、端子挿入口１０７の内面には、姿勢安定部１０８の内面よりも凹ませた形態の誘導凹部１０９が形成されている。しかし、この誘導凹部１０９は、端子保持部１０１の外面と端子収容室１０２を構成する外壁部１０４の内面を切欠した形態である。そのため、外壁部１０４のうち端子挿入口１０７よりも前方の姿勢安定部１０８と対応する領域では、肉厚が厚くなり過ぎて、ヒケを生じることが懸念される。
一方、このコネクタがフード部１０３を上向きにした姿勢で使用された場合、フード部１０３内に流入した水分や結露水が溜まり、その結果、端子金具１０６間でリークを生じることも懸念される。
本発明は上記のような事情に基づいて完成されたものであって、ヒケの防止とフード部内の排水を実現することを目的とする。
【課題を解決するための手段】
【０００６】
上記の目的を達成するための手段として、請求項１の発明は、合成樹脂製のハウジングと、端子金具とを備え、前記ハウジングは、前後方向に貫通する端子収容室が形成された端子保持部と、前記端子保持部の前端から前方へ延出するフード部とを一体に成形して構成され、前記端子保持部は、前記端子保持部の外面を構成し、且つ前記端子収容室に臨む外壁部を有し、前記フード部は、前記外壁部から外方へ張り出した形態の後面壁を有し、前記端子収容室の後端部の開口部は、前記端子金具を挿入するための端子挿入口となっており、前記端子収容室の前端側領域は、挿入した前記端子金具を傾かないように保持するための姿勢安定部となっており、前記外壁部は、周方向において前記端子収容室の天井面を構成する誘導壁部を有し、前記誘導壁部の内面のうち前記端子挿入口と対応する領域に、前記姿勢安定部の内面よりも凹ませた形態の誘導凹部が形成されており、前記ハウジングには、前記誘導壁部の外面のうち前記誘導凹部と対応する領域よりも前方の領域を凹ませた形態の型抜き凹部と、前記型抜き凹部に連通し且つ前記後面壁を貫通した形態の型抜き孔とからなる前後方向の型抜き経路が形成され、
前記フード部を構成する周壁部には、その内周面を溝状に凹ませた形態であり、前記型抜き経路と直接的に且つ一直線状に連なる前後方向の排水経路が形成されているところに特徴を有する。
【発明の効果】
【０００８】
＜請求項１の発明＞
型抜き経路を形成したことにより、誘導壁部の外面のうち誘導凹部と対応する領域よりも前方の領域、即ち姿勢安定部と対応する領域は、肉薄になるので、ヒケの発生が防止される。また、フード部内の水分は、型抜き経路を通ることによってフード部の後方外部へ排出される。さらに、型抜き経路は、誘導壁部の外面においては前後方向に延び、フード部の後面壁を貫通する形態なので、前方へ型抜きされる金型によって形成することができる。したがって、前後方向と交差する方向へ型抜きされるスライド金型を用いずに済む。
【０００９】
また、フード部内の水分は、排水経路と型抜き経路を通ってフード部の後方外部へ排出される。排水経路と型抜き空間は、直接的に且つ一直線状に連なっているので、排水効果が高い。
【図面の簡単な説明】
【００１０】
【図１】実施形態１のハウジングの斜視図
【図２】ハウジングの平面図
【図３】ハウジングの正面図
【図４】ハウジングに端子金具を取り付けた状態の断面図
【図５】従来例の断面図
【発明を実施するための形態】
【００１１】
＜実施形態１＞
以下、本発明を具体化した実施形態１を図１〜図４を参照して説明する。図４に示すように、本実施形態１のコネクタは、ハウジング１０と、前端部に細長いタブ２６が形成された雄形の端子金具２５とを備えて構成されている。
【００１２】
ハウジング１０は、金型成形された合成樹脂製のものであり、前後方向に貫通する左右一対の端子収容室１２が形成された端子保持部１１と、端子保持部１１の前端から前方へ延出するフード部１７とを一体に形成して構成されている。端子収容室１２の後端部の開口は、端子金具２５を挿入させるための端子挿入口１３となっている。端子収容室１２の前端側領域（端子挿入口１３よりも前方の領域）は、挿入した端子金具２５を傾かないように保持するための姿勢安定部１４となっている。
【００１３】
端子保持部１１は、その外面を構成し、且つ端子収容室１２内に臨む外壁部１６を有している。外壁部１６のうち、周方向において端子収容室１２の天井面を構成する壁部は、誘導壁部１９となっている。誘導壁部１９の内面（端子収容室１２の天井面）のうち端子挿入口１３と対応する領域には、端子金具２５の端子収容室１２への挿入を円滑に行わせるための手段として、姿勢安定部１４の内面（天井面）よりも凹ませた形態の誘導凹部１５が形成されている。つまり、外壁部１６のうち周方向において誘導凹部１５が形成されている上面領域が、誘導壁部１９となっている。誘導凹部１５を形成したことにより、端子挿入口１３の高さ寸法は、姿勢安定部１４の高さ寸法よりも大きくなっている。
【００１４】
フード部１７は、端子保持部１１の誘導壁部１９から外方（上方）へ張り出した形態の後面壁１８を有している。フード部１７の後面壁１８が誘導壁部１９から外方へ張り出している場合、ハウジング１０を前後へ方向に型開きされる金型（図示省略）だけで成形しようとすると、誘導壁部１９の外面（上面）は、後方へ型開きされる金型で成形することになるため、誘導壁部１９の外面は、その前端から後端に亘って面一状となり、誘導壁部１９の上面に高低差を形成することはできない。一方、誘導壁部１９の内面（下面）は、端子挿入口１３に誘導凹部１５を形成したことにより、端子挿入口１３の天井面と姿勢安定部１４の天井面との間で高低差が生じる。
【００１５】
したがって、誘導壁部１９の上下寸法（厚さ寸法）は、端子挿入口１３と対応する後端部領域で必要最小の寸法に抑えたとしても、姿勢安定部１４と対応する領域においては、外壁部１６の厚さ寸法が必要以上に大きくなる。したがって、外壁部１６のうち姿勢安定部１４と対応する部分で、金型成型の際に「ヒケ」と称される不正な変形を生じることが懸念される。
【００１６】
また、本実施形態のコネクタを、フード部１７が上向きに開口する姿勢で使用する場合において、フード部１７内に外部からの水が流入したり、フード部１７内で結露が生じたりすると、流入した水分や結露水がフード部１７内に溜まり、この溜まった水によって端子金具２５間でリークを生じることが懸念される。
【００１７】
その対策として本実施形態では、ハウジング１０に型抜き経路２０を形成している。型抜き経路２０は、図１，２，４に示すように端子保持部１１に形成した前後方向に直線状に延びる５本の型抜き凹部２１と、図３，４に示すようにフード部１７の後面壁１８を前後に貫通する５つの型抜き孔２２とによって構成されている。５本の型抜き凹部２１は、左右方向（幅方向）に一定ピッチで並列配置されている。図４に示すように、型抜き凹部２１の前後方向における形成領域は、後面壁１８の後端面から、誘導凹部１５の前端よりも少し前方の位置（即ち、姿勢安定部１４の後端よりも少し前方の位置）に亘っている。図３に示すように、５つの型抜き孔２２は、型抜き凹部２１と同じ幅寸法であり、５本の型抜き凹部２１と同じピッチで配置されている。したがって、５本の型抜き凹部２１と５つの型抜き孔２２は、一対一で対応し、対応する型抜き凹部２１と型抜き孔２２とが、互いに直接、連通している。
【００１８】
このように本実施形態においては、ハウジング１０に、誘導壁部１９の外面のうち誘導凹部１５と対応する領域よりも前方の領域（姿勢安定部１４と対応する領域）を凹ませた形態の型抜き凹部２１と、型抜き凹部２１に直接連通し且つ後面壁１８を貫通した形態の型抜き孔２２とからなる前後方向の型抜き経路２０を形成している。この構成によれば、型抜き経路２０を形成したことにより、誘導壁部１９のうち誘導凹部１５よりも前方の領域、即ち姿勢安定部１４と対応する領域が、肉薄になるので、ヒケの発生が防止される。また、フード部１７内の水分は、型抜き経路２０を通ることによってフード部１７の後方外部へ排出される。さらに、型抜き経路２０は、誘導壁部１９の外面においては前後方向に延び、フード部１７の後面壁１８を貫通する形態なので、前方へ型抜きされる金型によって形成することができる。したがって、前後方向と交差する方向へ型抜きされるスライド金型を用いずに済む。
【００１９】
また、フード部１７を構成する上面壁２３（本発明の構成要件である周壁部）には、その内周面を溝状に凹ませた形態であって型抜き経路２０と一直線状に連なる前後方向の排水経路２４が５本形成されている。この５本の排水経路２４は、型抜き経路２０と同じ幅寸法であって、型抜き経路２０と同じピッチで配置されている。したがって、排水経路２４と型抜き経路２０は、一対一で対応し、対応する排水経路２４と型抜き経路２０とが、互いに直接的に且つ一直線状に連通している。このような排水経路２４を形成したことにより、フード部１７内の水分は、排水経路２４と型抜き経路２０を通ってフード部１７の後方外部へ排出されることになる。排水経路２４と型抜き空間は、一直線状に連なっているので、排水効果が高い。
【００２０】
＜他の実施形態＞
本発明は上記記述及び図面によって説明した実施形態に限定されるものではなく、例えば次のような実施形態も本発明の技術的範囲に含まれる。
（１）上記実施形態では、型抜き経路２０の数を５本としたが、型抜き経路の数は、４本以下でもよく、６本以上でもよい。
（２）上記実施形態では、型抜き経路２０を、誘導壁部１９（外壁部１６のうち誘導凹部１５が形成されている壁部）の外面（上面）のみに形成したが、型抜き経路は、誘導壁部１９の外面に加えて、端子保持部の外壁部のうち誘導凹部が形成されていない下壁部や側壁部の外面（下面や側面）にも形成することができる。
（３）上記実施形態では、型抜き経路２０と排水経路２４を同じ幅寸法としたが、型抜き経路と排水経路は異なる幅寸法であってもよい。
（４）上記実施形態では、型抜き経路２０のうち後面壁１８を貫通する型抜き孔２２と、誘導壁部１９の外面の型抜き凹部２１とを同じ数として、一対一で連通させたが、１つの型抜き孔が複数本の型抜き凹部と連通する形態であってもよい。この場合、型抜き孔の数は、１つでもよく、複数でもよい。
＜参考例＞
（１）上記実施形態では、フード部１７を構成する上面壁２３（周壁部）に、型抜き経路２０と一直線状に連なる溝状の排水経路２４を形成したが、フード部１７内に溝状の排水経路２４を形成しない形態も考えられる。
【符号の説明】
【００２１】
１０…ハウジング
１１…端子保持部
１２…端子収容室
１３…端子挿入口
１４…姿勢安定部
１５…誘導凹部
１６…外壁部
１７…フード部
１８…後面壁
１９…誘導壁部
２０…型抜き経路
２１…型抜き凹部
２２…型抜き孔
２３…上面壁（周壁部）
２４…排水経路
２５…端子金具
【図１】
0005686077.tif 000002
【図２】
0005686077.tif 000003
【図３】
0005686077.tif 000004
【図４】
0005686077.tif 000005
【図５】
0005686077.tif 000006